(57)【要約】【課題】格納スペースが小さくて済み、設置や維持にあまり費用がかからない遊技台の台間仕切り装置を提供する。【解決手段】複数並設された遊技台の台間に設けられた格納部１０と、該格納部に前後方向に移動自在に支持され、格納部１０に格納される状態と、遊技台２の前面側に突出して遊技台の前面側空間を台間位置で仕切る状態とに位置変更可能な仕切り部１１とを備える。前記仕切り部１１は、格納部１０に格納される状態よりも、遊技台２の前面側に突出して遊技台２の前面側空間を遊技台間位置で仕切る状態の方が、前後方向に長くすることが可能とする。【選択図】図１
2007175368.tif 000002
【特許請求の範囲】
【請求項１】
複数並設された遊技台の台間に設けられた格納部と、該格納部に前後方向に移動自在に支持され、格納部に格納される状態と、遊技台の前面側に突出して遊技台の前面側空間を台間位置で仕切る状態とに位置変更可能な仕切り部とを具備することを特徴とする遊技台の台間仕切り装置。
【請求項２】
前記仕切り部は、格納部に格納される状態よりも、遊技台の前面側に突出して遊技台の前面側空間を遊技台間位置で仕切る状態の方が、前後方向に長くすることが可能である請求項１に記載の遊技台の台間仕切り装置。
【請求項３】
前記仕切り部は、互いの位置を前後方向にずらすことのできる複数の仕切り板からなり、これら仕切り板の相互位置関係を変更することにより、前後方向の長さを調節する構成である請求項２に記載の遊技台の台間仕切り装置。
【請求項４】
前記仕切り部は、可撓性を有する構成材を蛇腹状に成形してなり、その蛇腹状の構成材を拡縮させることにより、前後方向の長さを調節する構成である請求項２に記載の遊技台の台間仕切り装置。
【発明の詳細な説明】
【技術分野】
【０００１】
この発明は、パチンコ、スロットマシン等の遊技台の前面側空間を台間位置で仕切る遊技台の台間仕切り装置に関する。
【背景技術】
【０００２】
パチンコ、スロットマシン等の遊技施設では、複数の遊技台が並列に設置されており、遊技客は、各遊技台の前面側に設けた椅子に並んで腰掛けて遊技を行う。その場合、隣の遊技台で遊技する客が吸う煙草の煙が流れてきて迷惑することがよくある。また、隣の遊技台で遊技する客の動作（例えば自分が遊技する遊技台の盤面を覗き込む等の動作）が気になって遊技に集中できないことも多い。このような不快な思いをすることなく快適に遊技を行えるようにするために、遊技台の前面側空間を台間位置に合わせて仕切る仕切り板を設置することが、一部の遊技施設で行われている。
【０００３】
ただ、仕切り板が常時、遊技台の前面側空間に突出したままであると、清掃等の作業の邪魔になるとともに、頻繁に行なわれる遊技台の新台への入れ替え作業時にも邪魔になっていた。そこで、遊技台の前面側空間に対して仕切り板（仕切部材）を出没可能とした提案が特許文献１になされている。
【特許文献１】特開平７−１８５１１２号公報
【発明の開示】
【発明が解決しようとする課題】
【０００４】
しかし、特許文献１の遊技台間仕切装置には、次のような問題点がある。
（１）仕切部材の非使用時に、仕切部材をそのまま遊技台の台間部に収納するようになっているため、台間部に奥行きのある仕切部材格納スペースを必要とする。実際の遊技施設では、「島」と称される細長い遊技台の支持枠の表裏両側に、それぞれ複数の遊技台を並列に配置されている。「島」の表裏の間隔はさほど広くないため、仕切部材格納スペースの奥行きが大きいと、「島」の表裏両側の仕切部材が格納時に互いに干渉することになる。「島」の表裏の間隔を広くするか、あるいは表裏両側の遊技台の位置をずらせるかすれば、上記干渉を防ぐことができるが、そのためには「島」を作り変えなければならず、また「島」を作り変えた場合、スペース的な無駄が生じるので、現実的には、上記仕切部材を格納するのは難しいと思われる。
（２）また、仕切部材を遊技台の並び方向を向く回動中心軸を支点にして回動させるようになっており、その駆動源としてモータを使用している。仕切部材格納スペースの奥行きを小さくするには、前記回動中心軸を「島」の表裏面近くに配置する必要がある。しかしながら、最近では台間部に玉貸し機（またはメダル貸し機）が設けられていることが多く、この玉貸し機と干渉させることなく回動中心軸、モータ等を設けるには、台間部をかなり広くする必要がある。このことは、遊技台の設置台数を少なくすることになり、営業的に損失を招くことになる。
（３）前述のように、仕切部材駆動用のモータを使用するため、配線等を含めて構成が複雑になるとともに、設置コストおよびランニングコストが高くつく。
【０００５】
本発明は、遊技台の前面側空間を遊技台間位置で仕切る部材を、遊技台の台間部に収納することが可能で、その格納スペースが小さくて済み、設置や維持にあまり費用がかからない遊技台の台間仕切り装置を提供することを課題としている。
【課題を解決するための手段】
【０００６】
上記課題に対して、本発明は次のように構成した。すなわち、本発明に係る遊技台の台間仕切り装置は、複数並設された遊技台の台間に設けられた格納部と、該格納部に前後方向に移動自在に支持され、格納部に格納される状態と、遊技台の前面側に突出して遊技台の前面側空間を台間位置で仕切る状態とに位置変更可能な仕切り部とを具備することを特徴としている。
【０００７】
この構成によると、仕切り部が前後方向に移動して、格納部に格納される状態と、遊技台の前面側に突出する状態とに位置変更するため、この仕切り部の位置変更に際して重心の上下移動が無い。このため、仕切り部の位置変更に大きな力を必要とせず、それを人手でだけで簡単に行うことができる。また、仕切り部を前後方向に移動させるようにすると、例えば特許文献１における回動中心軸のように、左右に大きく張り出す部分を設けなくてよいので、最大左右幅を狭くすることができる。
【０００８】
前記仕切り部は、格納部に格納される状態よりも、遊技台の前面側に突出して遊技台の前面側空間を遊技台間位置で仕切る状態の方が、前後方向に長くすることが可能であることが好ましい。この構成とすると、仕切り部で遊技台の前面側空間を前後方向に広い範囲で仕切ることを可能としながらも、格納部の前後方向の奥行きを小さくすることができる。
【０００９】
詳しくは、前記仕切り部は、互いの位置を前後方向にずらすことのできる複数の仕切り板からなり、これら仕切り板の相互位置関係を変更することにより、前後方向の長さを調節する構成とすることができる。あるいは、前記仕切り部は、可撓性を有する構成材を蛇腹状に成形してなり、その蛇腹状の構成材を拡縮させることにより、前後方向の長さを調節する構成とすることができる。いずれの場合も、仕切り部を、格納部に格納される状態よりも、遊技台の前面側に突出して遊技台の前面側空間を遊技台間位置で仕切る状態の方が、前後方向に長くすることが可能である。
【発明の効果】
【００１０】
上記のように本発明に係る遊技台の台間仕切り装置は、仕切り部が前後方向に移動して、格納部に格納される状態と、遊技台の前面側に突出する状態とに位置変更するようにしたため、仕切り部の格納部からの出し入れを僅かな力で容易に行うことができる。また、最大左右幅を狭くすることができるため、狭い台間スペースにも設置することが可能である。さらに、仕切り部を、格納部に格納される状態よりも、遊技台の前面側に突出して遊技台の前面側空間を遊技台間位置で仕切る状態の方が、前後方向に長くして、格納部の前後方向の奥行きを小さくすることにより、「島」の表裏両側にこの台間仕切り装置を無理なく設けることができる。既存の「島」をそのまま使用することができ、また動力源を必要としないので、設置や維持にあまり費用がかからない。また、仕切り板を簡単に格納できるので、清掃作業や新台の入れ替え作業もより安易に行なうことができる。
【発明を実施するための最良の形態】
【００１１】
以下、図面に表わされた２つの実施例を参照にして、本発明を具体的に説明する。
【実施例１】
【００１２】
図１乃至図５は本発明の第1の実施例である台間仕切り装置を表している。この台間仕切り装置１は、図１に示すように、並列に設置された複数の遊技台２の台間部３に、玉貸し機４と並べて設けられる。図１において、Ａは遊技台の前面側空間を台間位置で仕切っている状態を示し、Ｂは台間部に格納されている状態を示す。なお、図における５は遊技台２が設置される「島」、６は遊技台２の前面側に設けられた物置台である。
【００１３】
台間仕切り装置１は、格納部１０と、仕切り部１１と、上下一対の蓋部１２，１３とからなる。格納部１０は、台間部３に設けられるものであり、前面側が開口する縦長の箱状をしている。
【００１４】
仕切り部１１は、3枚の仕切り板１１ａ，１１ｂ，１１ｃで構成される。各仕切り板１１ａ，１１ｂ，１１ｃは、上下両縁部がそれぞれサイズの異なる断面コ字状に形成されており、第1仕切り板１１ａの上下両縁部の内側に第２仕切り板１１ｂの上下両縁部が前後方向に摺動自在に嵌合し、第２仕切り板１１ｂの上下両縁部の内側に第３仕切り板１１ｃの上下両縁部が前後方向に摺動自在に嵌合している。これにより、各仕切り板１１ａ，１１ｂ，１１ｃを互いに前後方向にずらして、仕切り部１１の前後方向の長さを変更することができるようになっている。第1仕切り板１１ａの前端部に固着されたストッパ受け１１ｄに第２仕切り板１１ｂの後端部に固着されたストッパ１１ｅが当接することで、第1仕切り板１１ａに対する第２仕切り板１１ｂの抜け止めとしている。同様に、第２仕切り板１１ｂの前端部に固着されたストッパ受け１１ｆに第３仕切り板１１ｃの後端部に固着されたストッパ１１ｇが当接することで、第２仕切り板１１ｂに対する第３仕切り板１１ｃの抜け止めとしている。
【００１５】
上下一対の蓋部１２，１３はいずれも、左右幅は格納部１０の前面開口１０ａと同じで、長さは前記前面開口１０ａの縦長さの１／２よりも若干短いものとされている。蓋部１２（１３）は、片面側は平板状で、その反対面側の左右両端縁に立縁部１２ａ（１３ａ）が形成された断面コ字形をしている。左右の立縁部１２ａ（１３ａ）の間には、仕切り部１１の各仕切り板１１ａ，１１ｂ，１１ｃの上端部（下端部）が摺動自在に嵌合可能である。蓋部１２（１３）の立縁部１２ａ（１３ａ）間には、仕切り板１１ｂの上端面（下端面）に接触して摺動案内するスライドガイド１２ｂ（１３ｂ）が固着されている。このスライドガイド１２ｂ（１３ｂ）は、蓋部１２（１３）に対する第１仕切り板１１ａの抜け止め用にストッパでもある。また、蓋部１２（１３）の立縁部１２ａ（１３ａ）の後端部には、長手方向の長穴１２ｃ，１３ｃが形成されており、この長穴に格納部１０の内壁面に設けた突起１０ｂが遊嵌している。
【００１６】
この台間仕切り装置１は、遊技台の前面側空間を台間位置で仕切る状態Ａでは、図３及び図４に示すように、仕切り部１１を、その前後方向の長さを最大にして、遊技台２の前面側に突出させる。このとき、蓋部１２，１３の左右の立縁部１２ａ，１３ａが第1および第２仕切り板１１ａ，１１ｂの上下縁部を左右両側から挟み込む状態となり、仕切り部１１が左右に振れないように規制している。仕切り部１１を格納部１０から引き出す際には、仕切り部１１が前後方向に移動するだけであり、重心の上下移動が全く無いので、この位置変更に大きな力を必要とせず、人手でだけで簡単に行うことができる。
【００１７】
上記状態Ａから仕切り部１１を台間部３に格納させる場合は、次のように行う。まず、図５（ａ）に示すように、仕切り部１１を、前後方向の長さを最小にさせながら、格納部１０の中に押し込む。次いで、同図（Ｂ）に示すように、長穴１２ｃ，１３ｃの後端部に突起１０ｂが位置するようになるまで蓋部１２，１３を引っ張り出し、同図（Ｃ）に示すように、突起１０ｂを中心にして蓋部１２を下方に回動させる。蓋部１３については、突起１０ｂを中心にして上方に回動させる（図示省略）。これにて、図１のＢの状態となる。
【００１８】
この格納状態では、上下の蓋部１２，１３によって格納部１０の前面開口１０ａが閉じられる。蓋部１２，１３の長さが格納部１０の前面開口１０ａの縦長さの１／２よりも若干短いため、格納状態において上下の蓋部１２，１３の間に隙間１４が生じている。格納状態Ｂから仕切り状態Ａにする際、この隙間１４に指を入れて蓋部１２，１３を水平位置まで回動させることができる。
【００１９】
この台間仕切り装置１は、仕切り部１１が前後方向に移動して、格納部１０に格納される状態と、遊技台２の前面側に突出する状態とに位置変更するようにしたため、左右に大きく張り出す部分が無く、最大左右幅を狭くすることができる。このため、狭い台間部３にも設置することができる。また、仕切り部１１は格納部１０に格納状態Ｂよりも仕切り状態Ａの方が前後長が長くなるので、仕切り部１１によって遊技台の前面側空間を前後方向に広い範囲で仕切ることを可能としながらも、格納部１０の前後方向の奥行きを小さくすることができる。
【実施例２】
【００２０】
図６は本発明の第２の実施例である台間仕切り装置を表している。この台間仕切り装置２０は、仕切り部２１が、可撓性を有する構成材を蛇腹状に成形してなる拡縮仕切り体２１ａと、該拡縮仕切り体の前部に接合した仕切り板２１ｂとで構成されている。蛇腹状の拡縮仕切り体２１を拡縮させることにより、仕切り部２１の前後長を変更することができる。拡縮仕切り体２１ａは実施例１における第１、第２仕切り板１１ａ，１１ｂに相当し、仕切り板２１ｂは実施例１における第３仕切り板１１ｃに相当する。この点を除けば、前記実施例１と同じであり、同じ構成箇所については同一符合を付し、その説明を省略する。この実施例装置においても、実施例１と同様に効果が得られる。
【００２１】
上記実施例１，２において、蓋部１２，１３と仕切り部１１・２１の上下両端面との嵌合部における摺動動作が摩擦のため滑りが悪い場合には、仕切り板の上下両縁部に戸車を設けるようにしてもよい。また、仕切り板の部材は、遊技者にとって両隣りと隔離した感じにする場合には、不透明なものを使用してもよく、店内の外観上や不正遊技の防止を考慮するのであれば、透明部材を使用すればよい。仕切り板の仕切り面には、遊技者への情報を伝えるべく、遊技機のスペックや遊び方等を表示した解説シールを貼り付けたり、広告シール等を貼り付けて広告面として利用することもできる。
【産業上の利用可能性】
【００２２】
この台間仕切り装置は、主に遊技施設における遊技台の前面側空間を仕切る目的としたものであるが、遊技施設以外でも使用することも可能である。
【図面の簡単な説明】
【００２３】
【図１】台間仕切り装置の設置状態を示す斜視図である。（実施例１）
【図２】台間仕切り装置の正面図である。（実施例１）
【図３】台間仕切り装置の側面断面図である。（実施例１）
【図４】台間仕切り装置のＳ−Ｓ断面図である。（実施例１）
【図５】台間仕切り装置を仕切り状態から格納状態する操作の方法を示す説明図である。（実施例１）
【図６】台間仕切り装置の設置状態を示す斜視図である。（実施例２）
【符号の説明】
【００２４】
１，２０  台間仕切り装置
２  遊技台
３  台間部
１０  格納部
１１，２１  仕切り部
１１ａ，１１ｂ，１１ｃ，２１ｂ  仕切り板
１２，１３  蓋部
２１ａ  拡縮仕切り体
【図１】
2007175368.tif 000003
【図２】
2007175368.tif 000004
【図３】
2007175368.tif 000005
【図４】
2007175368.tif 000006
【図５】
2007175368.tif 000007
【図６】
2007175368.tif 000008